(57)【要約】【課題】代謝物を抽出・単離する必要がなく、また、その存在量が微量の場合でも当該代謝物の構造を提案することができ、しかも生体内外における薬物代謝酵素反応により生じる代謝物の構造が迅速に精度よく提案可能である方法。【解決手段】基質Ａ構造式の入力工程と、代謝反応ＤＢに基づくＡ由来の予測代謝物Ｂの構造式作成工程と、前記Ｂの構造式からのＢ分子量の算出工程と、Ａ由来の構造不明代謝物Ｃの分子量入力工程と、Ｂ分子量とＣ分子量とを比較しＣ分子量と一致する分子量をもつＢの抽出工程と、Ａ及びＣのMS/MS分析によるフラグメントイオンピーク（FIP）の入力工程と、Ａ及びＣのFIPの構造への帰属工程と、当該帰属情報に基づく比較による代謝部位の絞り込み工程と、Ｃと一致する分子量をもつＢ構造と前記絞り込みによる代謝部位構造とを比較し一致した構造の表示工程とを含む代謝物の構造提案方法等。【選択図】  なし【特許請求の範囲】
【請求項１】
基質（親化合物）の化学構造式を入力するステップと、代謝反応データベースに基づき、入力された前記基質（親化合物）が代謝されて生成すると予測される予測代謝物の化学構造式を作成するステップと、前記予測代謝物の化学構造式からそれぞれの予測代謝物の分子量を算出するステップと、前記基質（親化合物）が代謝されて生成した構造不明の代謝物の分子量を入力するステップと、前記算出された予測代謝物の分子量と構造不明の代謝物の分子量とを比較することによって構造不明の代謝物の分子量と一致する分子量をもつ予測代謝物をピックアップするステップと、前記基質（親化合物）のMS/MS分析によるフラグメントイオンピークを入力するステップと、前記基質（親化合物）のフラグメントを化学構造に帰属するステップと、構造不明の代謝物のMS/MS分析によるフラグメントイオンピークを入力するステップと、構造不明の代謝物のフラグメントを基質（親化合物）の化学構造に帰属するステップと、基質（親化合物）のMS/MS分析によるフラグメントイオンピークを帰属させた化学構造と構造不明の代謝物のMS/MS分析によるフラグメントイオンピークを帰属させた化学構造とを比較することによって代謝部位を絞り込む(特定化する)ステップと、前記予測代謝物の分子量と前記構造不明の代謝物の分子量とを比較することによってピックアップされた、構造不明の代謝物の分子量と一致する分子量をもつ前記予測代謝物の化学構造と、基質（親化合物）のMS/MS分析によるフラグメントイオンピークを帰属させた化学構造と構造不明の代謝物のMS/MS分析によるフラグメントイオンピークを帰属させた化学構造とを比較することによって絞り込まれた前記代謝部位の化学構造又は特定化された前記代謝部位の化学構造とを比較することにより、一致した化学構造を表示するステップとを含むことを特徴とする代謝物の構造提案方法。
【請求項２】
基質（親化合物）の化学構造式、前記基質（親化合物）が代謝されて生成した構造不明の代謝物の分子量、前記基質（親化合物）と前記構造不明の代謝物との両者のMS/MS分析によるフラグメントイオンピークスペクトルを入力する入力手段と、代謝反応データベースに基づき、入力された前記基質（親化合物）が代謝されて生成すると予測される予測代謝物の化学構造式を作成する構造式作成手段と、前記予測代謝物の化学構造式からそれぞれの予測代謝物の分子量を算出する分子量算出手段と、前記算出された予測代謝物の分子量と構造不明の代謝物の分子量とを比較することによって構造不明の代謝物の分子量と一致する分子量をもつ予測代謝をピックアップする比較抽出手段と、分子量が一致した予測代謝物の化学構造式を表示する表示手段と、入力されたMS/MSスペクトル情報に基づきフラグメントを化学構造に帰属する手段と、帰属させた当該化学構造を比較して代謝部位の絞込み又は特定化を行う手段と、前記分子量が一致した予測代謝物の化学構造とMS/MS分析によるフラグメントイオンピークから絞り込まれた代謝物の化学構造とを比較することにより、一致した化学構造を表示する表示手段とを含むことを特徴とする化合物の構造提案システム。
【請求項３】
基質(親化合物)の化学構造式、前記基質（親化合物）が代謝されて生成した構造不明の代謝物の分子量、前記基質（親化合物）と前記構造不明の代謝物との両者のMS/MS分析によるフラグメントイオンピークスペクトルを入力する入力手段と、代謝反応データベースに基づき、入力された前記基質（親化合物）が代謝されて生成すると予測される予測代謝物の化学構造式を作成する構造式作成手段と、前記予測代謝物の化学構造式からそれぞれの予測代謝物の分子量を算出する分子量算出手段と、前記算出された予測代謝物の分子量と構造不明の代謝物の分子量とを比較することによって構造不明の代謝物の分子量と一致する分子量をもつ予測代謝をピックアップする比較抽出手段と、分子量が一致した予測代謝物の化学構造式を表示する表示手段と、入力されたMS/MSスペクトル情報に基づきフラグメントを化学構造に帰属する手段と、帰属させた当該化学構造を比較して代謝部位の絞込み（特定化）を行う手段と、前記分子量が一致した予測代謝物の化学構造とMS/MS分析によるフラグメントイオンピークから絞り込まれた代謝物の化学構造とを比較することにより、一致した化学構造を表示する表示手段として機能させるための化合物の構造提案プログラム。
【発明の詳細な説明】
【技術分野】
【０００１】
本発明は、代謝物の構造提案方法及びその利用に関する。
【背景技術】
【０００２】
生体内外での薬物代謝酵素反応により生じる代謝反応においては、基質（親化合物）が様々な酵素によって代謝を受け、複数の代謝物が生成する。医薬品の研究開発において、これら代謝物の構造を決定することは、薬効や毒性評価において重要な役割を果たす。
【０００３】
かかる代謝物の構造の同定方法としては、例えば、生体内外における薬物代謝酵素反応により生じる代謝物を反応液から抽出・単離した後、又は、基質（親化合物）が投与された動物の生体試料（血清、尿又は胆汁等）から抽出・単離した後、得られた代謝物を核磁気共鳴装置等を用いてスペクトルを測定し、当該スペクトルをもとに、代謝物の構造を同定する方法が知られている。
一方で、上記のように代謝物を抽出・単離することなく、生体内外における薬物代謝酵素反応により生じる代謝物を含む試料のまま液体クロマトグラフィー質量分析装置等を用いて分析することにより、代謝物の分子量に係る情報は比較的容易に取得できるようになりつつあり、このような質量分析装置によっては、基質（親化合物）の分子量と生体内外における薬物代謝酵素反応により生じた代謝物の分子量との質量差から付加又は減少した分子又は原子に関する情報を提供する機能を有するソフトウェアが付属されているものもある。
【０００４】
【特許文献１】特開２００３−３０３１５
【特許文献２】特開平１１−６４２８５
【特許文献３】特開２００２−５５１５１
【発明の開示】
【発明が解決しようとする課題】
【０００５】
しかしながら、前者方法における代謝物の抽出・単離は、多大な時間及び労力が必要となり、また、代謝物の生成量が微量である場合や代謝物が不安定である場合には、代謝物の抽出・単離自体が困難であるという問題があった。また後者方法におけるソフトウェアの完成度は現時点では低いレベルにあることから、これらのソフトでは代謝物の構造を必ずしも迅速に精度よく提案することができず、そして前記代謝物の構造を容易に提案するまでには至っていない。
【課題を解決するための手段】
【０００６】
このような状況下、本発明者らは、かかる代謝物を抽出・単離操作する必要がなく、また、その存在生成量が微量の場合でも当該代謝物の構造を提案することができ、しかも生体内外における薬物代謝酵素反応により生じる代謝物の構造が迅速に精度よく提案可能である方法を見出し、本発明に至った。
【０００７】
即ち、すなわち本発明は、
１．基質（親化合物）の化学構造式を入力するステップと、代謝反応データベースに基づき、入力された前記基質（親化合物）が代謝されて生成すると予測される予測代謝物の化学構造式を作成するステップと、前記予測代謝物の化学構造式からそれぞれの予測代謝物の分子量を算出するステップと、前記基質（親化合物）が代謝されて生成した構造不明の代謝物の分子量を入力するステップと、前記算出された予測代謝物の分子量と構造不明の代謝物の分子量とを比較することによって構造不明の代謝物の分子量と一致する分子量をもつ予測代謝物をピックアップするステップと、前記基質（親化合物）のMS/MS分析によるフラグメントイオンピークを入力するステップと、前記基質（親化合物）のフラグメントを化学構造に帰属するステップと、構造不明の代謝物のMS/MS分析によるフラグメントイオンピークを入力するステップと、構造不明の代謝物のフラグメントを基質（親化合物）の化学構造に帰属するステップと、基質（親化合物）のMS/MS分析によるフラグメントイオンピークを帰属させた化学構造と構造不明の代謝物のMS/MS分析によるフラグメントイオンピークを帰属させた化学構造とを比較することによって代謝部位を絞り込む(特定化する)ステップと、前記予測代謝物の分子量と前記構造不明の代謝物の分子量とを比較することによってピックアップされた、構造不明の代謝物の分子量と一致する分子量をもつ前記予測代謝物の化学構造と、基質（親化合物）のMS/MS分析によるフラグメントイオンピークを帰属させた化学構造と構造不明の代謝物のMS/MS分析によるフラグメントイオンピークを帰属させた化学構造とを比較することによって絞り込まれた前記代謝部位の化学構造又は特定化された前記代謝部位の化学構造とを比較することにより、一致した化学構造を表示するステップとを含むことを特徴とする代謝物の構造提案方法（以下、本発明方法と記すこともある。）；
【０００８】
２．基質（親化合物）の化学構造式、前記基質（親化合物）が代謝されて生成した構造不明の代謝物の分子量、前記基質（親化合物）と前記構造不明の代謝物との両者のMS/MS分析によるフラグメントイオンピークスペクトルを入力する入力手段と、代謝反応データベースに基づき、入力された前記基質（親化合物）が代謝されて生成すると予測される予測代謝物の化学構造式を作成する構造式作成手段と、前記予測代謝物の化学構造式からそれぞれの予測代謝物の分子量を算出する分子量算出手段と、前記算出された予測代謝物の分子量と構造不明の代謝物の分子量とを比較することによって構造不明の代謝物の分子量と一致する分子量をもつ予測代謝をピックアップする比較抽出手段と、分子量が一致した予測代謝物の化学構造式を表示する表示手段と、入力されたMS/MSスペクトル情報に基づきフラグメントを化学構造に帰属する手段と、帰属させた当該化学構造を比較して代謝部位の絞込み又は特定化を行う手段と、前記分子量が一致した予測代謝物の化学構造とMS/MS分析によるフラグメントイオンピークから絞り込まれた代謝物の化学構造とを比較することにより、一致した化学構造を表示する表示手段とを含むことを特徴とする化合物の構造提案システム（以下、本発明システムと記すこともある。）；
【０００９】
３．コンピュータを、
基質(親化合物)の化学構造式、前記基質（親化合物）が代謝されて生成した構造不明の代謝物の分子量、前記基質（親化合物）と前記構造不明の代謝物との両者のMS/MS分析によるフラグメントイオンピークスペクトルを入力する入力手段と、代謝反応データベースに基づき、入力された前記基質（親化合物）が代謝されて生成すると予測される予測代謝物の化学構造式を作成する構造式作成手段と、前記予測代謝物の化学構造式からそれぞれの予測代謝物の分子量を算出する分子量算出手段と、前記算出された予測代謝物の分子量と構造不明の代謝物の分子量とを比較することによって構造不明の代謝物の分子量と一致する分子量をもつ予測代謝をピックアップする比較抽出手段と、分子量が一致した予測代謝物の化学構造式を表示する表示手段と、入力されたMS/MSスペクトル情報に基づきフラグメントを化学構造に帰属する手段と、帰属させた当該化学構造を比較して代謝部位の絞込み（特定化）を行う手段と、前記分子量が一致した予測代謝物の化学構造とMS/MS分析によるフラグメントイオンピークから絞り込まれた代謝物の化学構造とを比較することにより、一致した化学構造を表示する表示手段として機能させるための化合物の構造提案プログラム（以下、本発明プログラムと記すこともある。）；
等を提供するものである。
【発明の効果】
【００１０】
本発明によれば、代謝物を抽出・単離する必要がなく、また、その存在量が微量の場合でも当該代謝物を提案することができ、しかも生体内外における薬物代謝酵素反応により生じる代謝物の構造が迅速に精度よく提案可能である方法を提供できる。
【発明を実施するための最良の形態】
【００１１】
以下、図面を参照しながら本発明について説明する。図１に、本発明方法のフロー図を、図２に、本発明システムの概略構成を示す図を示した。
【００１２】
本発明方法は、基質(親化合物)の化学構造式を入力するステップ（以下、ステップａと記すこともある。）と、代謝反応データベースに基づき、入力された基質（親化合物）が代謝されて生成すると予測される予測代謝物の化学構造式を作成するステップ（以下、ステップｂと記すこともある。）と、前記予測代謝物の化学構造式からそれぞれの予測代謝物の分子量を算出するステップ（以下、ステップｃと略記する。）と、前記基質(親化合物)が代謝されて生成した構造不明の代謝物の分子量を入力するステップ（以下、ステップｄと記すこともある。）と、前記算出された予測代謝物の分子量と構造不明の代謝物の分子量とを比較することによって構造不明の代謝物の分子量と一致する分子量をもつ予測代謝物をピックアップするステップ（以下、ステップｅと記すこともある。）と、前記基質（親化合物）のMS/MS分析によるフラグメントイオンピークを入力するステップ（以下、ステップｆと記すこともある。）と、基質（親化合物）のフラグメントを化学構造に帰属するステップ（以下、ステップｇと記すこともある。）と、構造不明の代謝物のMS/MS分析によるフラグメントイオンピークを入力するステップ（以下、ステップｈと記すこともある。）と、構造不明の代謝物のフラグメントを基質（親化合物）の化学構造に帰属するステップ（以下、ステップｉと記すこともある。）と、基質（親化合物）のMS/MS分析によるフラグメントイオンピークを帰属させた化学構造と構造不明の代謝物のMS/MS分析によるフラグメントイオンピークを帰属させた化学構造を比較することによって、代謝部位を絞り込む又は特定化するステップ（以下、ステップｊと記すこともある。）と、前記予測代謝物の分子量と前記構造不明の代謝物の分子量とを比較することによってピックアップされた、構造不明の代謝物の分子量と一致する分子量をもつ前記予測代謝物の化学構造と、基質（親化合物）のMS/MS分析によるフラグメントイオンピークを帰属させた化学構造と構造不明の代謝物のMS/MS分析によるフラグメントイオンピークを帰属させた化学構造とを比較することによって絞り込まれた前記代謝部位の化学構造又は特定化された前記代謝部位の化学構造とを比較することにより、一致した化学構造を表示するステップ（以下、ステップｋと記すこともある。）とを含む。
【００１３】
また、本発明システムは、基質(親化合物)の化学構造式、前記基質（親化合物）が代謝されて生成した構造不明の代謝物の分子量、前記基質（親化合物）と前記構造不明の代謝物のMS/MS分析によるフラグメントイオンピークスペクトルを入力する入力手段１と、代謝反応データベースに基づき、入力された前記基質（親化合物）が代謝されて生成すると予測される予測代謝物の化学構造式を作成する構造式作成手段２と、前記予測代謝物の化学構造式からそれぞれの予測代謝物の分子量を算出する分子量算出手段３と、前記算出された予測代謝物の分子量と構造不明の代謝物の分子量とを比較することによって、構造不明の代謝物の分子量と一致する分子量をもつ予測代謝をピックアップする比較抽出手段４と、分子量が一致した予測代謝物の化学構造式を表示する表示手段５と、入力されたMS/MSスペクトル情報に基づきフラグメントを化学構造に帰属する帰属手段６と、代謝部位の絞込み又は特定化を行う手段７と、前記分子量が一致した予測代謝物の化学構造とMS/MS分析によるフラグメントイオンピークから絞り込まれた代謝物の化学構造とを比較することにより、一致した化学構造を表示する表示手段５とを含むことを含むことを特徴とする化合物の構造提案システムである。
【００１４】
まず、ステップａについて説明する（図１Ｓ１）。ステップａは、前記のとおり、基質(親化合物)の化学構造式を入力するステップである。かかる化学構造式は、入力手段１により入力され、通常記憶手段７に記憶される。入力手段としては、例えばキーボード、マウス等の化学構造式の入力可能なものが挙げられる。化学構造式の入力が完了すれば、次ステップｂに進む。
【００１５】
ステップｂは、前記のとおり、代謝反応データベースに基づき、入力された基質（親化合物）が代謝されて生成すると予測される予測代謝物の化学構造式を作成するステップ（図１Ｓ２）であり、構造式作成手段２により実施される。かかる構造式作成手段としては、通常代謝反応データベースが用いられる。代謝反応データベースとしては、例えば富士通九州社製のBioFrontier（バイオフロンティア）／P450、Lahsa社のMETEOR等の知識ベースシステムに基づき、入力された基質（親化合物）の化学構造から生成すると予測される代謝物の化学構造を作成するシステム等が挙げられる。
因みに、このような代謝反応データベースを有するシステムは、通常、分子構造式や化学反応式を分子内の原子種、原子の座標、原子間の結合表等のテキスト情報で表現するデファクトスタンダードのファイル形式（例えば、MOLfile,Sdfile,RXNfile,Rdfile等）の分子構造ファイルを読み書きすることができ、かつ、分子構造式や化学反応式から薬物代謝酵素反応により生じる代謝物等を検索する機能を有している。また基盤となる情報コンテンツは、通常、Medline等から検索した学術文献や各種の実験データ等を収集、整理しながら参考にし、薬物代謝酵素に関する知識を、例えば、その基質、阻害剤及び誘導剤等を分類しデータベース（知識ベース）化されたものである。
【００１６】
かかる代謝反応データベースに基づいて、前記ステップａで入力された基質（親化合物）をもとに、構造式作成手段２により、生成すると予測される代謝物の化学構造式が作成される。かかる構造式作成手段２により、入力された基質（親化合物）から生成すると予測される予測代謝物の化学構造式が作成される。作成された予測代謝物の化学構造式は、通常ＩＤ番号が付与され、前記ＩＤ番号と化学構造式とが結び付けられ、記憶手段７に記憶され、通常後述する表示手段５により表示可能となっている。すべての予測代謝物の化学構造式が作成されれば、次ステップｃに進む。
【００１７】
ステップｃは、前記予測代謝物の化学構造式からそれぞれの予測代謝物の分子量を算出するステップ（図１Ｓ３）である。前記ステップｂにおいて作成された全ての予測代謝物の化学構造式に基づき、分子量算出手段３により、各予測代謝物の分子式が作成され、各原子の質量数をもとに、その分子量が算出される。通常予測代謝物の化学構造式をもとに、その分子式が作成され、当該分子式と原子の質量数データベースとに基づき、分子量が算出される。算出された分子量や分子式は、通常ＩＤ番号又は化学構造式と結び付けられ、記憶手段７に記憶され、化学構造式と合わせて表示手段５により表示可能となっている。全ての予測代謝について、その分子量が算出されれば、次ステップｄに進む。
【００１８】
ステップｄは、構造不明の代謝物の分子量を入力するステップである（図１Ｓ４）。
構造不明の代謝物について、別途液体クロマトグラフィー質量分析装置により測定を行い、得られた分子量を、入力手段１により、入力する。構造不明の代謝物の分子量が入力されれば、次ステップｅに進む。
【００１９】
ステップｅは、前記ステップｃで算出された予測代謝物の分子量と前記ステップｄで入力された構造不明の代謝物の分子量とを比較し、構造不明の代謝物の分子量と一致する分子量をもつ予測代謝物をピックアップするステップ（図１Ｓ５）である。前記ステップｃで算出された予測代謝物の分子量と前記ステップｄで入力された構造不明の代謝物の分子量とが、比較抽出手段４により比較され、構造不明の代謝物の分子量に一致した分子量をもつ予測代謝物がピックアップされる。ピックアップされた予測代謝物は、そのＩＤ番号とともに、記憶手段６に記憶される。全ての予測代謝物の分子量と構造不明の代謝物の分子量が比較され、一致する分子量をもつ予測代謝物をピックアップされれば（図１  Ｓ５）、次ステップｆに進む。
【００２０】
ステップｆは基質（親化合物）のMS/MS分析によるフラグメントイオンピークを入力するステップ（図１Ｓ６）である。基質（親化合物）について、別途液体クロマトグラフィー質量分析装置により測定を行い、得られたフラグメントイオンピークを入力手段１により入力する。基質（親化合物）のフラグメントイオンピークが入力されれば、次ステップｇへ進む。
【００２１】
ステップｇは基質（親化合物）のフラグメントイオンピークを基質（親化合物）の化学構造へ帰属させるステップ（図１Ｓ７）である。フラグメントの帰属が完了すれば、次ステップｈへ進む。
【００２２】
ステップｈは構造不明の代謝物のMS/MS分析によるフラグメントイオンピークを入力するステップ（図１Ｓ８）である。構造不明の代謝物について、別途液体クロマトグラフィー質量分析装置により測定を行い、得られたフラグメントイオンピークを入力手段１により入力する。構造不明の代謝物のフラグメントイオンピークが入力されれば、次ステップiへ進む。
【００２３】
ステップiは構造不明の代謝物のフラグメントイオンピークを基質（親化合物）の化学構造へ帰属させるステップ（図１Ｓ９）である。フラグメントの帰属が完了すれば、次ステップｊへ進む。
【００２４】
ステップｊは前記ステップｇでフラグメントイオンピークを帰属させた基質（親化合物）の化学構造と前記ステップiで構造不明の代謝物のフラグメントイオンピークを帰属させた基質（親化合物）の化学構造を比較し、共通した構造部分を表示することにより基質（親化合物）の代謝部位を絞り込むステップ又は特定化するステップ（図１Ｓ１０）である。絞り込まれた又は特定化された構造不明の代謝物の化学構造が表示されれば、次ステップｋに進む。
【００２５】
ステップｋは、前記ステップｅでピックアップされた予測代謝物の化学構造と前記ステップｊで絞り込まれた又は特定化された構造不明の代謝物の化学構造とを比較し、一致した化学構造を表示するステップ（図１Ｓ１１）であり、前記化学構造式が表示手段５により表示される。表示手段５としては、例えばディスプレイ、プリンタ等が挙げられる。
【００２６】
また、前記基質（親化合物）の化学構造式及び前記基質（親化合物）が代謝されて生成した構造不明の代謝物の分子量を入力する入力手段と、代謝反応データベースに基づき、入力された前記基質（親化合物）が代謝されて生成すると予測される予測代謝物の化学構造式を作成する構造式作成手段と、前記予測代謝物の化学構造式からそれぞれの予測代謝物の分子量を算出する分子量算出手段と、前記算出された予測代謝物の分子量と構造不明の代謝物の分子量とを比較する比較手段と、分子量が一致した予測代謝物の化学構造式を表示する表示手段とをコンピュータシステムにより実現する処理プログラムとして備えることもできる。かかる処理プログラムは、例えばフレキシブルディスク、光磁気ディスク、ＣＤ−ＲＯＭ、ＤＶＤ−ＲＯＭ、ハードディスク等のコンピュータ読取可能な記録媒体に記録し、コンピュータシステムにロードして起動して用いてもよいし、ネットワークを介してロードして起動してもよい。
【００２７】
以下、具体的な一つの例を挙げて本発明をより詳細に説明する。
（１）エクザクトマスにおける質量数
酵素によって代謝を受ける基質（親化合物）として、高コレステロール血症治療剤であるアトルバスタチン（化１参照）を用いる。当該化合物のエクザクトマスにおける質量数は558である。一方、当該化合物にチトクロムＰ４５０酵素を作用させて得られた構造不明の代謝物（以下、代謝物Ｍ１と記す。）のエクザクトマスにおける質量数は574である。両者間での質量数における差異（+16）から判断して酸素分子が一つ付加された構造であろうことが判明するが、これだけでは代謝部位を予測することは不可能である。
【００２８】
【化１】
2006017570.tif 000002
【００２９】
（２）代謝反応データベースに基づく予測代謝物が有する化学構造の特定
そこで、代謝反応データベース（例えば、富士通九州社製のBioFrontier等）に基づき、当該データベース内の代謝物データ中から予測代謝物として酸化体（+16）をピックアップする。尚、前提抽出条件（例えば、抽出レベルや、チトクロムＰ４５０分子種等）にも拠るが、例えばこの段階で全数十件の予測代謝物がピックアップされる。
次いで、このようにピックアップされた予測代謝物（即ち、酸化体）が有する化学構造を特定する。
【００３０】
（３）プロダクトイオンの情報に基づく代謝部位の化学構造の絞込み
また、当該基質（親化合物）について、MS/MS分析によるフラグメントイオンピークを測定する。その結果、プロダクトイオンは466、440である。一方、代謝物Ｍ１についても同様に、MS/MS分析によるフラグメントイオンピークを測定する。その結果、プロダクトイオンは466、440である。
得られたプロダクトイオンの情報に基づき、代謝部位の化学構造が、プロダクトイオン466及びプロダクトイオン440が有する化学構造を含まない化学構造であることが絞り込まれ、当該基質（親化合物）の場合にはアミド結合しているフェニル環上の水酸化により生じた代謝物であることが推定される。尚、前提抽出条件（例えば、抽出レベルや、チトクロムＰ４５０分子種等）にも拠るが、例えばこの段階で全数件の予測代謝物がピックアップされる。しかしながら、この段階でも、フェニル環上の２位、３位又は４位のいずれかの部位が水酸化された化合物であるか不明である。
【００３１】
（４）予測代謝物の化学構造式の作成・表示
そこで次に、上記（２）のようにして特定された前記予測代謝物の化学構造と、上記（３）のようにして、前記基質（親化合物）と代謝物Ｍ１との両者のプロダクトイオンの情報により絞り込まれた化学構造と、を比較することにより、一致・適合する化学構造を選択しながら入力された前記基質（親化合物）が代謝されて生成すると予測される予測代謝物の化学構造式を作成・表示すると、アミド結合しているフェニル環上の２位又は４位が水酸化されることにより生じた代謝物であることが精度よく推定され、当該代謝部位の化学構造を有する代謝物（質量数574、プロダクトイオン466、440）の構造（化２又は化３参照）を提案することが可能となる。
【００３２】
【化２】
2006017570.tif 000003
【００３３】
【化３】
2006017570.tif 000004
【産業上の利用可能性】
【００３４】
本発明によれば、代謝物を抽出・単離する必要がなく、また、その存在量が微量の場合でも当該代謝物を提案することができ、しかも生体内外における薬物代謝酵素反応により生じる代謝物の構造が迅速に精度よく提案可能である方法を提供できる。
【図面の簡単な説明】
【００３５】
【図１】図１は、本発明方法のフロー図である。
【図２】図２は、本発明システムの一例の概略構成を機能的に示した図である。
【符号の説明】
【００３６】
１・・入力手段
２・・構造式作成手段
３・・分子量算出手段
４・・比較手段
５・・表示手段
６・・フラグメントの帰属手段
７・・代謝部位絞り込み又は特定化手段
８・・記憶手段
【図１】
2006017570.tif 000005
【図２】
2006017570.tif 000006